(57)【特許請求の範囲】
【請求項１】
脆弱管である流体管を補助管で被冠し、前記流体管の施工箇所を残してその両側の前記補助管を支持部材により支持し、該支持部材を基礎地盤に固定し、前記流体管と補助管との間に充填材を注入して固化させた後、一体化した前記補助管、固化した充填剤、そして前記流体管を、外部から切断もしくは穿孔することを特徴とする流体管の配管施工法。
【請求項２】
補助管が短管状の補助管であり、支持部材により基礎地盤上に支持された前記補助管に、次の補助管を溶接等で接続して、流体管を被冠するようにした請求項１に記載の流体管の配管施工法。
【請求項３】
支持部材が保護コンクリートである請求項１または２に記載の流体管の配管施工法。
【請求項４】
流体管と補助管との間に充填剤を注入後、補助管の所定位置に分岐口を有するケース本体を装着し、ケース本体内の補助管、固化した充填剤、そして流体管を一体に切断もしくは穿孔処理を施すようにした請求項１ないし３のいずれかに記載の流体管の配管施工法。
【請求項５】
流体管が石綿セメント管である請求項１ないし４のいずれかに記載の流体管の配管施工法。
【請求項６】
保護コンクリートによる台が、ケース本体の装着位置を挟んで両側に形成される請求項３に記載の流体管の配管施工法。
【請求項７】
切断もしくは穿孔処理により発生する補助管と固化した充填剤と流体管とよりなる切片を、カッターの上昇作動とともに外部に排出するようにした請求項４ないし６のいずれかに記載の流体管の配管施工法。
【請求項８】
切断もしくは穿孔処理により発生する補助管と固化した充填剤と流体管とよりなる切片をカッター内に捕え、外部に排出するようにした請求項７に記載の流体管の配管施工法。
【発明の詳細な説明】
【０００１】
【産業上の利用分野】
本発明は、流体管、特に石綿セメント管のような脆弱管の配管施工法に関する。
【０００２】
【従来の技術】
従来、地中に埋没された流体管の所定箇所に流体制御弁あるいは分岐管を設置するための工法として、例えば、特公昭５８ー２５９１９号公報に記載のものが知られている。
【０００３】
上記従来公報には、埋没された流体管の周りに堀削壕を作り、流体管としての石綿セメント管の切断箇所を残し、その両側を補助管で被冠し、補助管の注入口より充填材を流体管の外壁と補助管の内部に生じる空間に充填し、これを固化により一体的にして、補助管を基礎地盤にコンクリートにより固定した後、前記流体管の所定箇所を切断するようにした配管施工法が示されている。
【０００４】
これによれば、切断箇所が石綿セメント管のような脆弱管であってもその両側が補強され、コンクリートで支持されているために工事中に流体管が崩壊する危険を防止できるものである。
【０００５】
【発明が解決しようとする課題】
しかしながら、上記従来の技術のように、補助管で被冠されていない流体管の所定箇所をカッター等で切断すると、石綿セメント管のような脆弱管にあっては、その切断箇所がひび割れしたり、欠損したりする問題があった。
【０００６】
本発明は、上記のような問題に着目してなされたもので、流体管が石綿セメント管のような脆弱管であっても、その切断箇所が強度的に強い流体管の配管施工法を提供することを課題とする。
【０００７】
【課題を解決するための手段】
上記課題を解決するため、本発明の流体管の配管施工法は、脆弱管である流体管を補助管で被冠し、前記流体管の施工箇所を残してその両側の前記補助管を支持部材により支持し、該支持部材を基礎地盤に固定し、前記流体管と補助管との間に充填材を注入して固化させた後、一体化した前記補助管、固化した充填剤、そして前記流体管を、外部から切断もしくは穿孔することを特徴としている。
【０００９】
本発明の流体管の配管施工法は、補助管が短管状の補助管であり、支持部材により基礎地盤上に支持された前記補助管に、次の補助管を溶接等で接続して、流体管を被冠することが好ましい。
【００１０】
本発明の流体管の配管施工法は、支持部材が保護コンクリートであることが好ましい。
【００１１】
本発明の流体管の配管施工法は、流体管と補助管との間に充填剤を注入後、補助管の所定位置に分岐口を有するケース本体を装着し、ケース本体内の補助管、固化した充填剤、そして流体管を一体に切断もしくは穿孔処理を施すようにすることが好ましい。
【００１２】
本発明の流体管の配管施工法は、流体管が石綿セメント管であることが好ましい。
【００１３】
本発明の流体管の配管施工法は、保護コンクリートによる台が、ケース本体の装着位置を挟んで両側に形成されることが好ましい。
【００１４】
本発明の流体管の配管施工法は、切断もしくは穿孔処理により発生する補助管と固化した充填剤と流体管とよりなる切片を、カッターの上昇作動とともに外部に排出することが好ましい。
【００１５】
本発明の流体管の配管施工法は、切断もしくは穿孔処理により発生する補助管と固化した充填剤と流体管とよりなる切片をカッター内に捕え、外部に排出することが好ましい。
【００１６】
【作用】
まず、脆弱管である流体管を補助管で被冠し、流体管の施工箇所を残してその両側の補助管を支持部材により支持し、該支持部材を基礎地盤に固定し、流体管と補助管との間に充填材を注入して固化させた後、補助管の施工箇所に分岐口を有するケース本体を装着し、一体化した補助管、固化した充填剤、そして流体管を、外部から切断もしくは穿孔する。これによれば、流体管が、例えば、石綿セメント管のような脆弱管であっても、その切断箇所がひび割れしたり、欠損したりせず、またその切口部付近が強度的にも強くなる。
【００１７】
流体管と補助管との間に充填剤を注入する前に、支持部材で補助管を支えることにより、流体管が極めて脆弱な場合でも充填材の重みで両側の流体管が破断される心配がない。
【００１８】
支持された補助管に対して短管状の補助管を溶接して延設することにより、流体管の被冠作業中に流体管が破断する心配がない。
【００１９】
支持部材をコンクリートの台にすると、支持強度が向上する。
【００２０】
ケース本体内で補助管、固化した充填材、そして流体管を切断または穿孔すると、工事中に流体が外部に排出されず、また不断水のまま工事が可能となる。
【００２１】
保護コンクリートによる台を、ケース本体の装着位置を挟んで両側に形成するようにすると、ケース本体はより強固に支持されるとともに、ケース本体の装着が容易となる。
【００２２】
切片が固く、かつ一体のため、例えばカッターの昇降と連動する吊持具等でこの切片をカッターの上昇とともに外部に排出させる場合でも、切片が破損するような危険が少なくなる。
【００２３】
切片が一体のため、ケース内からカッターにより切片を全て容易に取出せる。
【００２４】
【実施例】
以下、本発明の実施例を図面に基づいて説明すると、図１および図２に示すように、１は石綿セメント管のような脆弱管で構成された流体管であって、この流体管１は複数の本管１Ａ，１Ｂ，１Ｃが直列に接続されたものであり、その接続箇所は一般にカラーと称される継手２Ａ，２Ｂにより入れ子式に支持され、かつ水密性が保たれている。
【００２５】
３は流体管１の埋設箇所の土砂の一部を堀起こした掘削壕で、この掘削壕３は本管１Ｂとその両側端部に接続した本管１Ａ，１Ｃと、これらをそれぞれ接続する継手２Ａ，２Ｂが露呈し、かつ工事に必要な広さを有し、その掘削壕３の底部には基礎地盤４が設けられている。
【００２６】
５は補助管であって、この補助管５は管軸方向に分割され、継手２Ａ，２Ｂの大部分と本管１Ｂとを被冠する所要長さを有する補助分割管５Ａ，５Ｂとよりなり、分割管５Ａ，５Ｂの当接面は溶接、あるいはその他の方法により水密に固着され、図３に示すように、例えば継手２Ａに位置する開放端部はゴムパッキン６と押輪７とにより水密に固定されている。
【００２７】
補助管５の上部には注入口８が適数個設けられており、この注入口８より液状で経時的に固化する例えばモルタル、セメントペーストあるいはエポキシ樹脂等の充填剤９が注入、充填されることにより、本管１Ｂの外壁と補助管５の内壁間の空間が充満されるようになっている。
【００２８】
１０は本管１Ｂに一体的に固定された補助管５に装着されるケース本体であって、このケース本体１０は管軸方向に分割される分割片１０Ａ，１０Ｂとよりなり、それぞれの分割片１０Ａ，１０Ｂは当接面を溶接その他の方法により水密に固定できるようになっている。またこのケース本体１０には分岐口２２が形成されている。
【００２９】
図１ないし図４に示される１１は流体管１の配管施工箇所両側部に設けられた保護コンクリートであって、この保護コンクリート１１は少くともケース本体１０の設置位置を残してその両側の補助管５を下方から支持するように、基礎地盤４に固定されている。これにより、少くとも補助管５と充填剤９の自重を効果的に支えることができる。
【００３０】
１２はケース本体１０の上部開放端に設置される制水弁、１３は制水弁１２の上部に固着される中間筒、１４は中間筒１３の上部に固着される穿孔機であって、この穿孔機１４のカッター１５は中間筒１３内に位置している。
【００３１】
次に、流体管１に流体制御弁１７を固定するための流体輸送管１の配管施工法について順に説明する。
【００３２】
（１）地中に埋設された流体管１の施工箇所の土砂の一部を掘起こし、掘削壕３内に本管１Ａ、１Ｂ、１Ｃが露呈するようにする（図１参照）。
【００３３】
（２）補助分割管５Ａ，５Ｂにより上下から本管１Ｂと継手２Ａ，２Ｂの大部分を被冠し、継手２Ａ，２Ｂに位置する開放端部をゴムパッキン６と押輪７とにより、また、分割管２Ａ，２Ｂの当接面を溶接等により水密に固定する（図１および図３参照）。
【００３４】
ここで、補助管５の被冠工程において補助管５自体の重みで本管１Ａと１Ｃ等が破断されないように、少くとも分割補助管５Ｂを保護コンクリート１１で基礎地盤４上に固定する。その際、保護コンクリート１１に代えて仮の支持台を使って、後に保護コンクリート１１を使用してもよい。また支持するためにロープ等で吊してもよい。
【００３５】
（３）補助管５の注入口８より液状で経時的に固化する例えばモルタル、セメントペーストあるいはエポキシ樹脂等の充填剤９を注入して、本管１Ｂの外壁と補助管５の内部に生じる空間を充満させ、これの固化により本管１Ｂと充填剤９と補助管５とが一体的に固まることになる。（図１参照）。
【００３６】
（４）ケース本体１０を補助管５の外周部に装着する。（図２および図３参照）。
【００３７】
（５）ケース本体１０に制水弁１２、中間筒１３および穿孔機１４を図４に示すように設置し、まず、制水弁１２を全開状態にして穿孔機１４を作動させ、中間筒１３内にあるカッター１５を下降せしめて補助管５、固化した充填剤９そして本管１Ｂをとが一体になった管を一気に切断する。このとき流体管１内の水はケース本体１０内に充満するが、水密を確保しているので外部に漏出するおそれはない。
【００３８】
（６）穿孔機１４のカッター１５内にこの切片を捕えた状態で上昇させ、制水弁１２を閉塞し、中間筒１３を穿孔機１４とともに制水弁１２より取り外す（図４参照）。
【００３９】
（７）次に新たに中間筒１３内のカッター１５に代えて流体制御弁１７を吊持した中間筒１６を、挿入機１８とともに制水弁１２に取付け、制水弁１２を全開して挿入機１８を作動し、流体制御弁１７を下降せしめて、ケース本体１０内に水密に嵌挿してケース本体１０に設けた固定ボルト１９により流体制御弁１７を回動自在に固定する（図５参照）。
【００４０】
（８）流体制御弁１７をケース本体１０内に回動自在に水密的に固定した後、挿入機１８と中間筒１６を制水弁１２とともに取り外し、ケース本体１０の流体制御弁１７の装着部にパッキング２０を介して水密蓋２１を固定する（図６参照）。
【００４１】
このように本実施例の流体管１の配管施工法にあっては、補助分割管５Ａ，５Ｂにより本管１Ｂと継手２Ａ，２Ｂの大部分を被冠し、本管１Ｂの外壁と補助管５の内部に生じる空間に充填剤９を充填し、これの固化により一体化された本管１Ｂ、充填剤９、補助管５を保護コンクリート１１等により基礎地盤４に固定して、所定箇所を切断するようにしたので、石綿セメント管のような脆弱管のみに力が加わることがなく、切断箇所がひび割れしたり、欠損したりせず、さらに強度的にも従来のものに比べ強化される。
【００４２】
この実施例では他に種々の効果があり、カッター１５で切片を捕え、外部に排出される際、従来のものが石綿セメント管のみでは切片が型崩れし易く、全て排出できなかったが、本発明を適用した実施例によると、切断された切片を全て外部に排出できる。また長年の使用によっても切断端部が崩れることもない。
【００４３】
更にケース本体１０の重みに対しても、両側部の保護コンクリートにより支持された補助管５が支持するため、保護コンクリートを多量に使用する必要はない。
【００４４】
なお、前処理として流体管１に補助管５を装着するに当り、流体管が石綿セメント管のような極めて脆弱な管の場合は、掘削壕３を一挙に掘らずに、図７のようにやはり補助分割管５Ａ、５Ｂにより形成される短管状の補助管５を、保護コンクリート等で支持された短管状の補助管５に溶接等で接続し、掘削とともにこの作業を順次続けて延設することが多用される。
【００４５】
以上、実施例を図面により説明してきたが、具体的な構成は実施例に限られるものではなく、本発明の要旨を逸脱しない範囲における変更や追加等があっても本発明に含まれる。
【００４６】
例えば、実施例では、流体管１の所要箇所に流体制御弁１７を設ける施工法を示したが、分岐管の配設に応用しても良い。
【００４７】
実施例では、穿孔機により流体管を切断する方法を示したが、これに限定されることなくその他の方法で、例えば穿孔にも応用できる。
【００４８】
また実施例では継手２Ａ、２Ｂ、の部分に保持管５の端があり、ここで固定と止水処理がされているが、本管１Ｂの外周で固定と止水処理をすることも可能である。
【００４９】
【発明の効果】
以上説明してきたように本発明にあっては、次に記載する効果が得られる。
【００５０】
（ａ）流体管の所定箇所を穿孔または切断するには、まず、流体管を補助管で被冠し、そして、流体管と補助管との間に充填材を注入してそれらを一体化した後、所定箇所を切断する。これによれば、流体管が、例えば、石綿セメント管のような脆弱管であっても、その切断箇所がひび割れしたり、欠損したりせず、またその切口部付近が強度的にも強くなる。
【００５１】
また、流体管と補助管との間に充填剤を注入する前に、支持部材で補助管を支えることにより、流体管が極めて脆弱な場合でも充填材の重みで両側の流体管が破断される心配がない。
【００５２】
（ｂ）支持された補助管に対して短管状の補助管を溶接して延設することにより、流体管の被冠作業中に流体管が破断する心配がない（請求項２）。
【００５３】
（ｃ）支持部材を保護コンクリートにすると、支持強度が向上する（請求項３）。
【００５４】
（ｄ）ケース本体内で補助管、固化した充填材、そして流体管を切断または穿孔すると、工事中に流体が外部に排出されず、また不断水のまま工事が可能となる（請求項４）。
【００５５】
（ｅ）保護コンクリートによる台を、ケース本体の装着位置を挟んで両側に形成するようにすると、ケース本体はより強固に支持されるとともに、ケース本体の装着が容易となる（請求項６）。
【００５６】
（ｆ）切片が固く、かつ一体のため、例えばカッターの昇降と連動する吊持具等でこの切片をカッターの上昇とともに外部に排出させる場合でも、切片が破損するような危険が少なくなる（請求項７）。
【００５７】
（ｇ）切片が一体のため、ケース内からカッターにより切片を全て容易に取出せる（請求項８）。
【００５８】
【図面の簡単な説明】
【図１】実施例の流体管に固着した補助管の側面図である。
【図２】実施例のケース本体を補助管５に装着した状態を示す図である。
【図３】図２の要部拡大断面図である。
【図４】実施例の穿孔機の装着側面図である。
【図５】実施例の流体制御弁の挿入機の取付側面図である。
【図６】実施例の流体制御弁の装着側面図である。
【図７】別実施例の補助管被冠施工を示す側面図である。
【符号の説明】
１            流体管
２Ａ，２Ｂ    継手
３            掘削壕
４            基礎地盤
５            補助管
５Ａ，５Ｂ    補助分割管
６            ゴムパッキング
７            押輪
８            注入口
９            充填剤
１０            ケース本体
１０Ａ，１０Ｂ  分割片
１１            保護コンクリート（支持部材）
１２            制水弁
１３            中間筒
１４            穿孔機
１５            カッター
１６            中間筒
１７            流体制御弁
１８            挿入機
１９            固定ボルト
２０            パッキング
２１            水密蓋
２２            分岐口
【図１】
0003540400.tif 000002
【図２】
0003540400.tif 000003
【図３】
0003540400.tif 000004
【図４】
0003540400.tif 000005
【図５】
0003540400.tif 000006
【図６】
0003540400.tif 000007
【図７】
0003540400.tif 000008